(57)【要約】      （修正有）【課題】手軽にアロマテラピー効果を得ようとするものであって、マスク様の形態を保持しつつ、そこにファッション性を持たせる。【解決手段】衛生マスク本体に、アロマテラピー効果をもたらす植物性オイルを、別不織布に付着させ、その不織布を小型ビニール袋に挿入梱包し、マスク本体に縫込み、合体させ、使用時に両手の平で叩き匂いを発生させる事、あるいはアロマオイルをマイクロカプセルに閉じ込め、布もしくは不織布に浸透させマスクを３段構成とし、その二枚目もしくは一枚目・三枚目に位置させ、手で揉んでアロマテラピー効果を実感させる方式により、いつでも簡易に心身の健全化（体質改善、痩身、精神安定、覚醒化、花粉症の軽減化、アレルギー症状の軽減化）効果が得られ、また、耳掛けゴムは香りから得られる効果別に色分けして多色の耳掛けゴムを使用したマスクとし更にマスク本体も縮小化したサイズとする。【選択図】図２
0003122783.tif 000002
【実用新案登録請求の範囲】
【請求項１】
衛生マスク本体に、心身の健全化および効果を促す各種の植物性のアロマオイルを吸着させた、不繊布をマスク本体に合体させて簡易的にその効果を容易に享受出来る。携帯可能を特徴とするマスクである。
［心身の健全化とは］
１、体質改善効果
２、シェイプアップ効果
３、精神安定効果
４、覚醒効果
５、花粉症の症状の軽減化効果
６、アレルギー症状の軽減化効果
【請求項２】
マスク本体に付属する、耳掛けゴムひもに色付けをして、サイズに工夫を加えファッション性を高める事で、従来のマスクと差別化されているマスクである。従って、サイズは別図の様になっており、通常のマスクとの併用も可能となっている。
【請求項３】
衛生マスク本体内部に施された、植物性のアロマオイルを不繊布に浸透させ、小ビニール袋の中に挿入梱包し、ユーザーがマスク使用時に匂いを発生させる為に、両手の平で叩いて使用する方式である。
【考案の詳細な説明】
【技術分野】
【０００１】  本考案は、衛生マスクに、植物性の各種アロマオイルを用いてマスクに香りを吸着させ簡易に心身の健全化を図るもので、同時に耳掛けのゴムひもに色を付け、形状も既存のサイズより縮小化し、香りによりアロマテラピー効果を促し、ファション性を高めたマスクに関するものである
【背景技術】
【０００２】  従来、衛生マスクの使用の用途範囲は、口臭対策、風邪等による感染防止や花粉症、ハウスダスト等の鼻炎予防の対策に限定されていた。また形状、デザインが地味であった。
【考案の開示】
【考案が解決しようとする課題】
【０００３】  従来の衛生マスクの、用途の範囲は、前述の様な用途に限られていて、また形状デザイン等にバリエーションが限定されていて、その使用、用途およびファション性が乏しく、マスクそのものを使用する場合においても、上記のような理由によって、抵抗感を持つ使用者が多かった。
【課題を解決するための手段】
【０００４】  本考案は、衛生マスク本体に、アロマテラピー効果をもたらす植物性オイルを、別不織布に付着させ、その不織布を小ビニール袋に挿入梱包し、マスク本体に縫込み一体化させ使用時にはマスク本体を両手の平で叩き匂いを発生させ、いつでも容易に装着し心身の健全化（体質改善、痩身、精神安定、覚醒化、花粉症の軽減化、アレルギー症状の軽減化）効果が得られまたファション性を備えたマスクにする為に耳掛けゴムひもは香りから得られる効果別に色分けし多色の耳掛けゴムひもを使用したマスクとし本体のサイズも縮小化した物で考え問題の解決とする。
【考案の効果】
【０００５】  上述の様に、本考案の香り付き心身健全化ファションマスクは、マスク本体のデザインやサイズ及びマスク本体に香りを付着させることにより、より身近にまた容易にいつでも心身の健全化効果が得られ、同時にファションの一部として、使用が可能なマスクとなり、従来からのマスクそのものに対する地味なイメージが払拭され、よりその汎用性が広がり役益である。
【考案を実施するための最良の形態】
【実施例】
【０００６】  ファッション性をもたせた、小型マスクの内部に香り（植物性アロマオイル）付着不織布袋を縫込み、使用時には、両手の平で叩き香りを外部に発生させる。その香りを吸収することにより、心身の健全化を図るものである。
【産業上の利用可能性】  本マスクを単体使用することで本来の役割を果たすことが出来るものである。また、たとえば防塵マスクを併用することで、より高い効果も期待できる。
従って、小さく作成したものである。
【図面の簡単な説明】
【０００７】
【図１】本考案の香り付き心身健全化ファションマスク一実施例の前面図である。
【図２】本考案の香り付き心身健全化ファションマスク一実施例の本体内部図である。
【符号の説明】
【０００８】１マスク本体
２マスク耳掛けカラーゴムひも
３ビニール袋入りアロマオイルシート
【図１】
0003122783.tif 000003
【図２】
0003122783.tif 000004
【手続補正書】
【提出日】平成17年1月19日(2005.1.19)
【手続補正１】
【補正対象書類名】実用新案登録請求の範囲
【補正対象項目名】請求項１
【補正方法】変更
【補正の内容】
【請求項１】
衛生マスク本体に、心身の健全化および効果を促す各種の植物性のアロマオイルを吸着させた、不繊布をマスク本体に合体させて簡易的にその効果を容易に享受出来る。携帯可能であり、既存のマスクと併用できることを特徴とするマスク。
【手続補正２】
【補正対象書類名】実用新案登録請求の範囲
【補正対象項目名】請求項３
【補正方法】変更
【補正の内容】
【請求項３】
衛生マスク本体内部に施された、植物性のアロマオイルを不繊布に浸透させ、小ビニール袋の中に挿入梱包し、ユーザーがマスク使用時に匂いを発生させる為に、両手の平で叩いて使用、あるいはアロマオイルをマイクロカプセルに閉じ込め、布もしくは不織布に浸透させマスクを３段構成とし、その二枚目もしくは一枚目・三枚目に位置させ、手で揉んでアロマテラピー効果を実感させる方式である。
【手続補正３】
【補正対象書類名】明細書
【補正対象項目名】０００２
【補正方法】変更
【補正の内容】
【０００２】  従来、衛生マスクの使用の用途範囲は、口臭対策、風邪等による感染防止や花粉症、ハウスダスト等の鼻炎予防の対策に限定されていた。また形状、デザインや色が均一であり、ほぼ完成されたものとして工夫の余地が無かった。
【手続補正４】
【補正対象書類名】明細書
【補正対象項目名】０００３
【補正方法】変更
【補正の内容】
【０００３】  従来の衛生マスクの、用途の範囲は、前述の様な用途に限られていて、また形状デザイン等にバリエーションが限定されていて、その使用、用途およびファション性が乏しく、マスクそのものを使用する場合においても、上記のような理由、および口、鼻腔を覆うために、抵抗感を持つ使用者が多かった。
【手続補正５】
【補正対象書類名】明細書
【補正対象項目名】０００４
【補正方法】変更
【補正の内容】
【０００４】  本考案は、衛生マスク本体に、アロマテラピー効果をもたらす植物性オイルを、別不織布に付着させ、その不織布を小ビニール袋に挿入梱包し、マスク本体に縫込み一体化させ使用時にはマスク本体を両手の平で叩き匂いを発生させ、いつでも容易に装着し心身の健全化（体質改善、痩身、精神安定、覚醒化、花粉症の軽減化、アレルギー症状の軽減化）効果が得られまたファション性を備えたマスクにする為に耳掛けゴムひもは香りから得られる効果別に色分けし多色の耳掛けゴムひもを使用したマスクとし本体のサイズも縮小化した。マスク本体のサイズは縦７ｃｍ〜１０ｃｍ、横１２ｃｍ〜１５ｃｍとし問題の解決とする。
【手続補正６】
【補正対象書類名】明細書
【補正対象項目名】０００５
【補正方法】変更
【補正の内容】
【０００５】  上述の様に、本考案の香り付き心身健全化ファションマスクは、マスク本体のデザインやサイズ及びマスク本体に香りを付着させることにより、より身近にまた容易にいつでも心身の健全化効果が得られ、同時にファションの一部として、使用が可能なマスクとなり、従来からのマスクそのものに対する地味なイメージが払拭され、よりその汎用性が広がり役益である。心身健全化とは、
１、体質改善効果
２、シェイプアップ効果
３、精神安定効果
４、覚醒効果
５、花粉症の症状の軽減化効果
６、アレルギー症状の軽減化効果
を言う。
【手続補正７】
【補正対象書類名】明細書
【補正対象項目名】０００６
【補正方法】変更
【補正の内容】
【０００６】（実施例）
ファッション性をもたせた、小型マスクの内部に香り（植物性アロマオイル）付着不織布袋を縫込み、使用時には、両手の平で叩き香りを外部に発生させ、あるいはアロマオイルをマイクロカプセルに閉じ込め、布もしくは不織布に浸透させマスクを３段構成とし、その二枚目もしくは一枚目・三枚目に位置させ、手で揉んでアロマテラピー効果を実感させる方式である。その香りを吸収することにより、心身の健全化を図るものである。
（産業上の利用可能性）
本マスクを単体使用することで本来の役割を果たすことが出来るものである。また、たとえば防塵マスクなどの既存製品を併用することで、より高い効果も期待できる。
従って、小さく作成したものである。
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
衛生マスク本体に植物性のアロマオイルを吸着させた不織布を合体させたものであって、携帯可能であり、既存のマスクと併用できることを特徴とするマスク。
【請求項２】
衛生マスク本体に付属する耳掛けゴムひもに、吸着させる植物性アロマオイル別に色付けをし、かつ既存のマスクよりサイズを小さくしたことを特徴とする請求項１のマスク。
【請求項３】
植物性のアロマオイルを浸透させた不織布を小ビニール袋の中に挿入梱包した状態で衛生マスク本体内部に合体させ、ユーザーがマスク使用時に両手の平で叩くことによって匂いを発生させるように構成したことを特徴とする請求項１または２のマスク。
【手続補正２】
【補正対象書類名】明細書
【補正対象項目名】全文
【補正方法】変更
【補正の内容】
【考案の詳細な説明】
【技術分野】
【０００１】
本考案は、衛生マスクに、植物性の各種アロマオイルを用いて、マスクに香りを吸着させ、これにより、簡易に、心身の健全化を図るものであり、さらには、耳掛けゴムひもに色を付け、かつ形状も既存のサイズより縮小化し、香りによりアロマテラピー効果を促し、さらには、ファッション性を高めたマスクに関するものである。
【背景技術】
【０００２】
従来、衛生マスクの使用の範囲は、口臭対策、風邪等による感染防止や花粉症、ハウスダスト等の鼻炎予防の対策に限定されていた。また、形状、デザインが地味であった。
【考案の開示】
【考案が解決しようとする課題】
【０００３】
本考案が解決しようとする課題は、前述のように、従来の衛生マスクの使用の範囲が限定されていることであり、また、形状、デザイン等にバリエーションが少なく、ファッション性が乏しいものであることであり、マスクそのものを使用する場合においても、前述のような理由によって、抵抗感を持つ使用者が多かったことである。
【課題を解決するための手段】
【０００４】
本考案は、衛生マスク本体に植物性のアロマオイルを吸着させた不織布を合体させたものであって、携帯可能であり、既存のマスクと併用できることを特徴とするマスクである。
さらには、このようなマスクにおいて、衛生マスク本体に付属する耳掛けゴムひもに、吸着させる植物性アロマオイル別に色付けをし、かつ既存のマスクよりサイズを小さくしたことを特徴とするマスクである。
そして、さらには、前述のいずれかのマスクにおいて、植物性のアロマオイルを浸透させた不織布を小ビニール袋の中に挿入梱包した状態で、衛生マスク本体内部に合体させ、ユーザーがマスク使用時に両手の平で叩くことによって匂いを発生させるように構成したことを特徴とするマスクである。
【考案の効果】
【０００５】
本考案の香り付き心身健全化ファションマスクは、マスク本体のデザインやサイズおよびマスク本体に香りを付着させることにより、より身近に、また、容易にいつでも心身の健全化効果が得られるものである。
ここで、心身の健全化効果とは、以下のようなものである。
１．体質改善効果
２．シェイプアップ（痩身）効果
３．精神安定効果
４．覚醒化効果
５．花粉症の症状の軽減化効果
６．アレルギー症状の軽減化効果
さらにファッションの一部として、使用が可能なマスクとなり、従来からのマスクそのものに対する地味なイメージが払拭され、よりその汎用性が広がる効果ある。
【考案を実施するための最良の形態】
【０００６】
本考案は、好ましくは、衛生マスク本体に、アロマテラピー効果をもたらす植物性オイルを、別体の不織布に付着させ、その不織布を小ビニール袋に挿入梱包し、マスク本体に縫込み、一体化させたものである。そして、その使用時に、マスク本体を両手の平で叩き、これにより、匂いないし香りを発生させ、いつでも容易に装着することができ、心身の健全化効果（具体的には、体質改善効果、痩身効果、精神安定効果、覚醒化効果、花粉症の症状の軽減化効果、アレルギー症状の軽減化効果）が得られる。また、ファッション性を備えたマスクにするために耳掛けゴムひもは色付けすることが好ましく、この色付けは、香りから得られる効果別に色分けしてもよく、多色の耳掛けゴムひもを使用したマスクとしてもよい。また、本体のサイズも縮小化したものとし、既存のマスクより小さくして既存のマスクと併用することができる。本考案のこうしたマスクの構成については、図１、２を参照することができる。
【実施例１】
【０００７】
小型マスクの本体内部に、香り（植物性アロマオイル）を付着した不織布の袋（ビニール袋）を縫込んだ。また、耳掛けゴムひもは、用いた植物性アロマオイルに応じて色付けし、ファッション性をもたせた（図１、２参照）。使用時には、両手の平で叩き、香りを外部に発生させ、その香りを吸収することにより、心身の健全化を図ることができた。
【産業上の利用可能性】
【０００８】
本考案のマスクを単体使用することで本来の役割を果たすことができるものである。また、例えば防塵マスクなどの既存のマスクを併用することで、より高い効果も期待できる。従って、本考案のマスクは、特に、既存のマスクと併用することを考えて、小さく作成したものである。
【図面の簡単な説明】
【０００９】
【図１】本考案の香り付き心身健全化ファッションマスク一実施例の前面図である。
【図２】本考案の香り付き心身健全化ファッションマスク一実施例の本体内部図である。
【符号の説明】
【００１０】
１  マスク本体
２  マスク耳掛けカラーゴムひも
３  ビニール袋入りアロマオイルシート
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
香り付きマスク本体に植物性のアロマオイルを吸着させた不織布を合体させたものであって、携帯可能であり、他の異なるマスクと併用できることを特徴とする香り付きマスク。
【請求項２】
香り付きマスク本体に付属する耳掛けゴムひもに、吸着させる植物性アロマオイル別に色付けをし、かつ他の異なるマスクよりサイズを小さくしたことを特徴とする請求項１の香り付きマスク。
【請求項３】
植物性のアロマオイルを浸透させた不織布を小ビニール袋の中に挿入梱包した状態で衛生マスク本体内部に合体させ、ユーザーがマスク使用時に両手の平で叩くことによって匂いを発生させるように構成したことを特徴とする請求項１または２の香り付きマスク。
【手続補正３】
【補正対象書類名】明細書
【補正対象項目名】０００４
【補正方法】変更
【補正の内容】
【０００４】
本考案は、香り付きマスク本体に植物性のアロマオイルを吸着させた不織布を合体させたものであって、携帯可能であり、他の異なるマスクと併用できることを特徴とする香り付きマスクである。
さらには、このようなマスクにおいて、香り付きマスク本体に付属する耳掛けゴムひもに、吸着させる植物性アロマオイル別に色付けをし、かつ他の異なるマスクよりサイズを小さくしたことを特徴とする香り付きマスクである。
そして、さらには、前述のいずれかのマスクにおいて、植物性のアロマオイルを浸透させた不織布を小ビニール袋の中に挿入梱包した状態で、衛生マスク本体内部に合体させ、ユーザーがマスク使用時に両手の平で叩くことによって匂いを発生させるように構成したことを特徴とする香り付きマスクである。